(57)【要約】  【課題】  シート状連結ステープルが全て排出されなければステープル用リフィルを取り外すことができないカートリッジを提供する。  【解決手段】  カートリッジ７０は、ステープラ本体６２に引き出し自在に設けられ、ステープル用リフィル１を収納する収納室８２と、ステープル用リフィル１の一側を係合する係合部材８５と、係合部材８５をロックするロック部材９５とが設けられている。ロック部材９５は、収納室８２にステープル用リフィル１が収納された時に、ステープル用リフィル１の排出口４６から排出されるシート状連結ステープルＳに当接する当接部９７を有し、当接部９７がシート状連結ステープルＳに当接すると係合部材８５をロックしてステープル用リフィル１の離脱を阻止する。【選択図】        図４
2005074566.tif 000002
【特許請求の範囲】
【請求項１】
ステープラ本体に引き出し自在に設けられたカートリッジであって、
カートリッジ本体には、ステープル用リフィルを着脱自在に収納する収納室と、収納室に収納されたステープル用リフィルの一側を係合する係合部材と、係合部材をロックするロック部材とが設けられ、
ロック部材は、収納室にステープル用リフィルが収納された時に、ステープル用リフィルの排出口から排出されるシート状連結ステープルに当接する当接部を有し、当接部がシート状連結ステープルに当接すると係合部材をロックしてステープル用リフィルの離脱を阻止し、当接部がシート状連結ステープルに当接しなくなると係合部材のロックを解除してステープル用リフィルの離脱を可能にするように構成されていることを特徴とするカートリッジ。
【請求項２】
ロック部材は、カートリッジ本体に揺動自在に設けられ、一方に当接部が形成され、他方に係止部が形成されており、
当接部は、カートリッジ本体に形成された透孔から収納室内に出没してシート状連結ステープルに当接するようになっており、
係止部は、当接部がシート状連結ステープルに当接すると、ロック部材が係止部の係止方向に揺動して係合部材を係止し、当接部がシート状連結ステープルに当接しなくなると、ロック部材が係止部の反係止方向に揺動して係合部材に対する係止を解除するようになっていることを特徴とする請求項１記載のカートリッジ。
【発明の詳細な説明】
【技術分野】
【０００１】
本願発明は、ステープラに引き出し自在に設けられ、ステープル用リフィルを着脱自在に収納する収納室を備えたカートリッジに関する。
【背景技術】
【０００２】
従来、ステープラに設けられたカートリッジは、ステープラ本体に引き抜き可能に取り付けられていた。このカートリッジは、収納室を有し、この収納室にステープル用リフィルが着脱自在に取り付けられるようになっていた。ステープル用リフィルには、ロール状に巻かれたシート状連結ステープルが収納され、シート状連結ステープルの先部が、ステープル用リフィルの排出口から排出される。従って、ステープラは、カートリッジをステープラ本体から引き出して、カートリッジにステープル用リフィルを装着し、このステープル用リフィルを装着したカートリッジをステープラ本体に押し込んで使用されていた（例えば、特許文献１）。
【特許文献１】特開２００２−２００５７３
【発明の開示】
【発明が解決しようとする課題】
【０００３】
従来のカートリッジは、ステープル用リフィル内にシート状連結ステープルが残っていた場合であっても、ステープル用リフィルを外すことができる。そのため、ステープル用リフィルの排出口からシート状連結ステープルが途中まで出ている状態で、カートリッジからステープル用リフィルを外すことができ、係る場合、シート状連結ステープルが折れ、目詰まり等の障害が発生するという問題点があった。
【０００４】
本願発明は、上記問題点に鑑み発明されたものであって、シート状連結ステープルが残っているステープル用リフィルは取り外すことができず、目詰まり等の何等かの障害が発生した場合は、ステープル用リフィルを装着したまま、ステープル本体から引き出すことができるカートリッジを提供することを目的とする。
【課題を解決するための手段】
【０００５】
本願請求項１記載のカートリッジは、上記目的を達成するため、ステープラ本体に引き出し自在に設けられたカートリッジであって、カートリッジ本体には、ステープル用リフィルを着脱自在に収納する収納室と、収納室に収納されたステープル用リフィルの一側を係合する係合部材と、係合部材をロックするロック部材とが設けられ、ロック部材は、収納室にステープル用リフィルが収納された時に、ステープル用リフィルの排出口から排出されるシート状連結ステープルに当接する当接部を有し、当接部がシート状連結ステープルに当接すると係合部材をロックしてステープル用リフィルの離脱を阻止し、当接部がシート状連結ステープルに当接しなくなると係合部材のロックを解除してステープル用リフィルの離脱を可能にするように構成されている。
【０００６】
本願請求項２記載のカートリッジは、上記目的を達成するため、上記ロック部材は、カートリッジ本体に揺動自在に設けられ、一方に当接部が形成され、他方に係止部が形成されており、当接部は、カートリッジ本体に形成された透孔から収納室内に出没してシート状連結ステープルに当接するようになっており、係止部は、当接部がシート状連結ステープルに当接すると、ロック部材が係止部の係止方向に揺動して係合部材を係止し、当接部がシート状連結ステープルに当接しなくなると、ロック部材が係止部の反係止方向に揺動して係合部材に対する係止を解除するようになっている。
【発明の効果】
【０００７】
本願発明に係るカートリッジは、収納室にステープル用リフィルが収納されると、ステープル用リフィルの一側を係合部材が係合し、ステープル用リフィルの排出口から排出されるシート状連結ステープルにロック部材の当接部が当接するので、ロック部材が係合部材をロックして、係合状態を保持し、ステープル用リフィルの離脱を阻止し、ステープル用リフィルのシート状連結ステープルが全て排出されて残っていないと、シート状連結ステープルに当接部が当接しなくなるので、ロック部材の係合部材に対するロックが解除され、ステープル用リフィルの離脱を可能にする。このように、本願発明に係るカートリッジは、ステープル用リフィルのシート状連結ステープルが全て排出されなければ、ステープル用リフィルを取り外すことができないので、シート状連結ステープルの折れを防止することができ、その結果、折れによる目詰まり等の障害をなくすことができるという効果がある。
【０００８】
本願発明に係るカートリッジは、ロック部材がカートリッジ本体に揺動自在に設けられ、ロック部材の一方の当接部が、カートリッジ本体に形成された透孔から収納室内に出没してシート状連結ステープルに当接すると、ロック部材の他方の係止部が、係止方向に揺動して係合部材を係止し、当接部がシート状連結ステープルに当接しなくなると、係止部が反係止方向に揺動して係合部材に対する係止を解除する。このように、本願発明に係るカートリッジは、ロック部材がシート状連結ステープルの存在の有無を検出して、ステープル用リフィルのロック及びロック解除を行うことができるという効果がある。
【発明を実施するための最良の形態】
【０００９】
本願発明に係るカートリッジの一つの実施の形態を、図１乃至図９に基づいて説明する。図１は、本願発明に係るカートリッジの一つの実施の形態を示す全体斜視図であり、（ａ）は後方から視た斜視図であり、（ｂ）は前方から視た斜視図である。図２は、図１のカートリッジの６面図であり、（ａ）は上方から視た上面図であり、（ｂ）は側面からから視た側面図であり、（ｃ）は下方から視た下面図であり、（ｄ）は前方から視た前面図であり、（ｅ）は後方から視た後面図である。図３は、図１のカートリッジにステープル用リフィルを取り付けた状態を示す全体斜視図であり、（ａ）は後方から視た斜視図であり、（ｂ）は前方から視た斜視図である。
【００１０】
図４は、図３のカートリッジの一部を省略した全体斜視図であり、（ａ）は前方から視た斜視図であり、（ｂ）は後方下部から視た斜視図である。図５は、図４のカートリッジの６面図であり、（ａ）は上方から視た上面図であり、（ｂ）は側面から視た側面図であり、（ｃ）は下方から視た下面図であり、（ｄ）は前方から視た前面図であり、（ｅ）は後方から視た後面図であり、（ｆ）は動きを説明する側面図である。図６は、図３のカートリッジが装着されたステープラ本体を一方から視た斜視図である。図７は、図６のステープラ本体を他方から視た斜視図である。図８は、図６のステープラ本体からステープル用リフィルを取り外した状態を示す斜視図である。図９は、図６のステープラ本体からカートリッジを引き出した状態を示す斜視図である。
【００１１】
カートリッジ７０は、ステープラ本体６２に引き出し自在に設けられている。カートリッジ本体７０Ａには、ステープル用リフィル１を着脱自在に収納する収納室８２と、収納室８２に収納されたステープル用リフィル１の一側を係合する係合部材８５と、係合部材８５をロックするロック部材９５とが設けられている。
【００１２】
ロック部材９５は、収納室８２にステープル用リフィル１が収納された時に、ステープル用リフィル１の排出口４６から排出されるシート状連結ステープルＳに当接する当接部９７を有し、当接部９７がシート状連結ステープルＳに当接すると係合部材８５をロックしてステープル用リフィル１の離脱を阻止する。また、当接部９７がシート状連結ステー
プルＳに当接しなくなると係合部材８５のロックを解除してステープル用リフィル１の離脱を可能にするように構成されている。
【００１３】
ロック部材９５は、カートリッジ本体７０Ａに揺動自在に設けられ、一方に当接部９７が形成され、他方に係止部９８が形成されている。当接部９７は、カートリッジ本体７０Ａに形成された透孔７４から収納室８２内に出没してシート状連結ステープルＳに当接するようになっている。係止部９８は、当接部９７がシート状連結ステープルＳに当接すると、ロック部材９５が係止部９８の係止方向に揺動して係合部材８５を係止する。当接部９７がシート状連結ステープルＳに当接しなくなると、ロック部材９５が係止部９８の反係止方向に揺動して係合部材８５に対する係止を解除するようになっている。
【００１４】
さらにカートリッジについて詳細に説明するが、その前にこのカートリッジに収納されるステープル用リフィルと、カートリッジが引き出し自在に設けられたステープラ本体について説明する。図１０は、ステープル用リフィルの一つの実施の形態を示す全体斜視図である。図１１は、図１０の分解斜視図である。図１２は、図１０の斜視断面図である。図１３は、図１０の側面断面図である。図１４は、図１０のステープル用リフィルの６面図である。図１５は、図１０の要部断面図である。図１６は、ステープル用リフィルの動作を説明する説明図である。図１７は、ステープル用リフィルの他の実施の形態を示す全体斜視図である。図１８は、図１７の分解斜視図である。
【００１５】
ステープル用リフィル１は、ステープラ本体６２に設けられたカートリッジ７０に着脱自在に取り付けられる。ステープル用リフィル１のリフィル本体２は、図１２，１３に示すように、ロール状に巻かれたシート状連結ステープルＳを収納する収納部４０と、収納部４０に収納されたシート状連結ステープルＳを排出する排出口４６と、収納部４０に収納されたシート状連結ステープルＳの先部Ｓ１を排出口４６に導出する導出路４５を備えている。
【００１６】
導出路４５は、排出口４６から収納部４０内に向かって上方に湾曲し、シート状連結ステープルＳの上側に位置する先部Ｓ１を排出口４６へ導出するようになっている。導出路４５には、シート状連結ステープルＳの排出口４６の逆側への移動を阻止する逆行防止部材３１が設けられている。前記逆行防止部材３１は、リフィル本体２に一体成形によって設けられている。
【００１７】
導出路４５は、略直線状に形成された第１の案内路４３と、上方に向かって湾曲した第２の案内路４２とからなる。第１の案内路４３は、排出口４６と連通している。第２の案内路４２は、収納部４０と連通している。第２の案内路４２には、前記逆行防止部材３１が露出して設けられている。
【００１８】
導出路４５は、シート状連結ステープルＳの上面Ｓ２をガイドする上ガイド面４７と、シート状連結ステープルＳの下面Ｓ３をガイドする下ガイド面４８を有する。第２の案内路４２の上ガイド面１３ａは、収納部４０の内面４１に連接されている。第２の案内路４２の下ガイド面は、収納部４０内に突設されたガイド突起２５の湾曲した一方の面２６によって形成されている。前記逆行防止部材３１は、前記ガイド突起２５の一方の面２６から突出するように形成されている。前記ガイド突起２５の他方の面２７は、収納部４０内に収納されたシート状連結ステープルＳを案内するように湾曲して形成されている。
【００１９】
また、リフィル本体２の収納部４０の内面には、前記ロール状に巻かれたシート状連結ステープルＳの外周と摺接し、シート状連結ステープルＳの回転を滑らかにする突状２０，３５が設けられている。また、リフィル本体２には、収納部４０と連通する開口８が形成されている。
【００２０】
さらにステープル用リフィルについて詳細に説明する。ステープル用リフィル１のリフィル本体２は、図１０，１１に示すように、上ケース３と、上ケース３に着脱自在に固定される下ケース５とからなる。上ケース３は、合成樹脂によって一体成形され、上壁６と、上壁６の左端に設けられた左壁７と、上壁６の右端に設けられた右壁９とからなる。
【００２１】
上壁６は、上半円筒壁１１と、上半円筒壁１１の前端に上端が連接された垂直壁１２と、垂直壁１２の下端に一端が連接された湾曲壁１３と、湾曲壁１３の他端に後端が連接された水平壁１５とからなる。左壁７及び右壁９は、円状壁７ａ，９ａと、円状壁７ａ，９ａの下端に連接された、略水平方向に延びる下壁７ｂ，９ｂとからなる。下壁７ｂ，９ｂは、水平壁１５から下方に突出している。下壁７ｂ，９ｂには、係止孔１４，１４が形成されている。さらに、下壁７ｂ，９ｂには、後方の係止孔１４近傍に位置して係合軸１６が形成されている。
【００２２】
上半円筒壁１１の上部には、後方に向かって延びる把持アーム１８が形成されている。湾曲壁１３の上面には、湾曲壁１３を補強するリブ１９が形成されている。また、上半円筒壁１１の後部には、開口８が形成されている。さらにまた、上ケース３の上壁６内面、即ち、上半円筒壁１１、垂直壁１２、湾曲壁１３、水平壁１５の内面には、シート状連結ステープルＳを案内するガイド突条２０が設けられている。
【００２３】
図１２，１３に示すように、下ケース５は、上ケース３と同様に合成樹脂によって一体成形され、下壁２１を有する。下壁２１は、約１／４の円状に形成された円弧状壁２２と、円弧状壁２２の前端に後端が連接された直線壁２３とからなる。直線壁２３には、略山状のガイド突起２５が形成されている。ガイド突起２５の一方の面２６は、前記上ケース３の湾曲壁１３の下面１３ａと略一定の隙間が形成されるようにして湾曲している。また、ガイド突起２５の他方の面２７は、前記円弧状壁２２と同様の円弧を描くように湾曲している。ガイド突起２５の頂部２９は、半円状に丸く形成されている。
【００２４】
ガイド突起２５の略中間部には、切り欠き部３０が形成されている。前記直線壁２３には、当該切り欠き部３０内に位置し、湾曲した一方の面２６から突出する爪状の逆行防止部材３１が一体形成によって設けられている。直線壁２３は、前部に略コ字状の切り欠き凹部３２が形成され、後部が円弧状壁２２の後方まで伸びるように形成されている。また、下ケース５の下壁２１内面、即ち、円弧状壁２２、ガイド突起２５、直線壁２３の内面には、シート状連結ステープルＳを案内するガイド帯（突状）３５が突設されている。下壁２１の両側には、前記上ケース３の係止孔１４，１４に着脱自在に係止される係止爪３６，３６が形成されている。
【００２５】
ステープル用リフィル１は、上ケース３の左壁７の下壁７ｂと右壁９の下壁９ｂ間に、下ケース５を嵌合すると、下ケース５の係止爪３６，３６が上ケース３の係止孔１４，１４に係止され、リフィル本体２が組み立てられる。この組立に際し、シート状連結ステープルＳの先部Ｓ１が上部に位置するようにして、上ケース３内にシート状連結ステープルＳを収容すると、シート状連結ステープルＳは下ケース５に載置される。
【００２６】
リフィル本体２は、上壁６の上半円筒壁１１及び垂直壁１２と、下ケース５の円弧状壁２２及びガイド突起２５の他方の面２７と、左壁７及び右壁９によって、円筒状の収納室４０が形成される。シート状連結ステープルＳは、下ケース５の円弧状壁２２とガイド突起２５の他方の面２７によって、一番低い直線壁２３上で位置決めされる。
【００２７】
リフィル本体２は、上ケース３の湾曲壁１３の下面１３ａと下ケース５のガイド突起２５の一方の面２６と、左壁７及び右壁９によって、上方に向かって緩やかに湾曲する第２
の案内路４２が形成される。また、リフィル本体２は、上ケース３の水平壁１５の下面１５ａと下ケース５の直線壁２３の上面２３ａと、左壁７及び右壁９によって、略直線状に形成された第１の案内路４３が形成される。即ち、第１の案内路４３と第２の案内路４２によって導出路４５が形成される。導出路４５の前端は、排出口４６と連通している。
【００２８】
導出路４５は、シート状連結ステープルＳの上面Ｓ２をガイドする上ガイド面４７と、シート状連結ステープルＳの下面Ｓ３をガイドする下ガイド面４８を有する。上ガイド面４７は、上ケース３の水平壁１５の下面１５ａと、上ケース３の湾曲壁１３の下面１３ａによって形成される。下ガイド面４８は、下ケース５の直線壁２３の上面２３ａとガイド突起２５の一方の面２６によって形成される。
【００２９】
前記逆行防止部材３１は、第２の案内路４２内に突出し、先端３１ａが湾曲壁１３の下面１３ａ近傍まで伸びている。なお、逆行防止部材３１は、図１５（ａ）に示すように、傾斜して設けられたり、図１５（ｂ）に示すように、略Ｌ字状に設けられたり、図１５（ｃ）に示すように、略ｎ字状に設けられたりすることができ、特に形状が限定されるものではない。前記したように逆行防止突起３１は、爪状に形成され、輸送時には、先端３１ａが湾曲壁１３の下面１３ａ側にシート状連結ステープルＳ（特には引き出される部分Ｓ５）を強く押圧している。このため過度の衝撃等によりステープル用リフィル１からシート状連結ステープルＳが引き出されてしまう虞が無くなる。また、ステープル用リフィル１をセットした場合、下壁２１より突き出た部分がリフィル内に戻されることで、逆行防止部材３１が反時計方向に回転する。この回転変位により、逆行防止部材３１の先端３１ａが湾曲壁１３の下面１３ａから若干退避することでシート状連結ステープルＳへの押圧力が減じる。このため、ステープルＳの供給方向への移動抵抗が軽減され、ステープル送りがより円滑に行われる。
【００３０】
シート状連結ステープルＳの先部Ｓ１が予め排出口４６に引き出されたステープル用リフィル１を使用するが、別に先部Ｓ１が予め排出口４６から引き出されていないステープル用リフィル１では、シート状連結ステープルＳの先部Ｓ１に設けられ引き出しテープ（図示せず）を排出口４６から出しておき、当該引き出しテープを引っ張ると、ステープル用リフィル１の収納室４０内に設けられたシート状連結ステープルＳが回転し、それの先端が排出口４６に位置する。ステープル用リフィル１をステープラ本体６２に着脱自在に装着されるカートリッジ７０に取り付け、カートリッジ７０をステープラ本体６２に装着する。ステープラ本体６２を駆動させると、送り出し手段（例えば、送り爪、送りローラ等）によって、シート状連結ステープルＳの先部Ｓ１がドライバ側に間欠的に引き出される。シート状連結ステープルＳのロール状巻き取り部Ｓ４は、引き出される部分Ｓ５に載っていないので、送り出し手段にかかる負荷が少ない。また、シート状連結ステープルＳのロール状巻き取り部Ｓ４は、外周の全体が収納室（収納部）４０の内面に接触するわけではなく、一部がガイド突条２０及び／又はガイド帯（突条）３５に接触するので、接触面積が少なく、そのため摩擦抵抗が小さくなるので、さらに送り出し手段にかかる負荷が少ない。
【００３１】
また、シート状連結ステープルＳの先部Ｓ１が引き出されと、図１６（ａ）に示すように、引き出される部分Ｓ５が導出路４５の上ガイド面（湾曲壁１３の下面１３ａ）に密接し、逆行防止部材３１の先端３１ａがシート状連結ステープルＳの引き出される部分Ｓ５に僅かに摺接する程度となるので、送り出し手段にあまり負荷がかからず、確実にシート状連結ステープルＳを送り出すことが出来る。また、シート状連結ステープルＳの先部Ｓ１が引き戻されると、図１６（ｂ）に示すように、引き出された部分Ｓ５がガイド突起２５の一方の面２６に密接し、逆行防止部材３１の先端３１ａがシート状連結ステープルＳを確実に係止する。
【００３２】
ステープル用リフィル１は、シート状連結ステープルＳが引き出されていくと、ロール状巻き取り部Ｓ４が小さくなるが、図１６（ｃ）に示すように、ガイド突起２５の頂部２９によって、シート状連結ステープルＳの引き出し部分Ｓ５を持ち上げてから導出路４５に導出させるので、上記したのと同様に機能する。ガイド突起２５の頂部２９は、半円状に丸く形成されているので、シート状連結ステープルＳを滑らかにガイドすることができる。
【００３３】
このように、ステープル用リフィル１は、リフィル本体２の収納部４０に、ロール状に巻かれたシート状連結ステープルＳの先部Ｓ１を上側になるように収納することができ、シート状連結ステープルＳが排出口４６から送り出される時、引き出し部Ｓ５にロール状巻き取り部Ｓ４が載らないので、送り出し手段にかかる負荷が少ない。
【００３４】
従来のステープル用リフィルは、シート状連結ステープルの直線状に引き延ばされた引き延ばし部に逆行防止部材が摺接し、この摺接する際の逆行防止部材の接触圧力の調節が難しい。上記ステープル用リフィル１は、上記したように、湾曲した導出路４５を利用して、シート状連結ステープルの引き出しの時と引き戻しの時の逆行防止部材３１の係止力が異なり、引き戻しの時の方が逆行防止部材３１の係止力が向上しているので、逆行防止部材３１の接触圧力の調節をする必要がない。
【００３５】
また、ステープル用リフィル１は、逆行防止部材３１がステープラ本体６２の送り出し手段と同様に、接着剤が塗布されておらず、接着テープが長手方向に向かって貼着されていないシート状連結ステープルＳの下面Ｓ３に圧接係合するので、確実にシート状連結ステープルＳの逆行を阻止することができ、且つ下面Ｓ３の略中心に逆行防止部材３１を配置することができるので、シート状連結ステープルＳをバランス良く係止させることができる。
【００３６】
ステープル用リフィル１は、逆行防止部材３１を一体成形したので、従来のように金属素材で形成された逆行防止部材をリフィル本体に組み込む作業が不要で、誰でも簡単に組み立てることができ、リフィル本体２の軽量化と低廉化を図ることができ、さらに素材ごとに分別して廃棄する必要がないので、廃棄が簡単である。
【００３７】
また、リフィル本体２には、上記したように上半円筒壁１１の後部に、開口８が形成されているので、梱包時に開口８から緩衝部材等の押さえ部材を装着して、収納室４０内に収納されたシート状連結ステープルＳが運搬の際に動かないように固定することができ、シート状連結ステープルＳの先端位置をずれないようにすることができる。しかも、使用時にあっては、当該開口８を利用して、シート状連結ステープルＳの残量等の状態を確認することができる。
【００３８】
なお、上記ステープル用リフィル１は、下ケース５の下壁２１に逆行防止部材３１を一体成形した。しかし、図１７，１８に示すように、下ケース５７の平板状の下壁５２の両側に略Ｌ字状の係合突起５３，５３を形成し、合成樹脂によって別個に成形された、略逆Ｕ字状の逆行防止部材５５・・を備えた差込板５６の両端を係合突起５３，５３に係合し、下ケース５７の下壁５２に逆行防止部材５５を設けても構わない。なお、略逆Ｕ字状の逆行防止部材５５・・は、略山状のガイド突起５８の湾曲した一方の面５９に形成された長孔６０・・から突出し、シート状連結ステープルＳを押圧する。
【００３９】
ステープラ６１の本体６２は、電動ステープラ、コピー機等の印刷機に取り付けられるものであって、図９に示すように、カートリッジ収容部６３が形成され、カートリッジ収容部６３にカートリッジ７０が引き出し自在に設けられる。カートリッジ収容部６３の両側には、後方に向かって開放された形の係合凹部６５，６５が形成されている。さらに、
カートリッジ収容部６３の両側には、図示しない弾性部材によって時計回転方向に付勢されたアーム部材６６，６６が設けられ、アーム部材６６，６６の先部６７，６７が前記係合凹部６５，６５を塞ぐようになっている。
【００４０】
ステープラ本体６２は、カートリッジ収容部６３の前部に、シート状連結ステープルＳの先端に位置する直線状ステープルをコの字型に形成させるフォーミングプレートと、コの字型に変形したステープルを押し出すドライバが配置されている。カートリッジ収容部６３の下部には、シート状連結ステープルＳをドライバ側に間欠的に送り出す駆動装置が設けられている。
【００４１】
カートリッジ７０の本体７０Ａは、図１，２に示すように、底板７１と、底板７１の右端前部に設けられた右ガイド板７２と、底板７１の右端後部に設けられた右側板７３と、底板７１の左端前部に設けられた左ガイド板７５と、底板７１の左端後部に設けられた左側板７６と、底板７１の後端に設けられた略コ字状の後板７７と、底板７１の前端に設けられた略コ字状の前板７９とからなる。カートリッジ本体７０Ａは、底板７１と、右ガイド板７２と、右側板７３と、左ガイド板７５と、左側板７６と、後板７７と、前板７９とによって、上部が開放された収納室８２が形成されている。
【００４２】
底板７１の前部には、図５に示すように、矩形状の開口７８が形成されている。カートリッジ７０の前部には、ステープル打ち出しガイド８０が設けられている。ステープル打ち出しガイド８０には、ステープル用リフィル１の排出口４６側の前部２ａを係止する係止部８１が形成されている。
【００４３】
カートリッジ本体７０Ａには、図４，５に示すように、略コ字状に折曲された係合部材８５と、細長形状のロック部材９５，９５が設けられている。係合部材８５は、可動板８６と、可動板８６の左端に設けられた左係合板８７と、可動板８６の右端に設けられた右係合板８８とからなる。左係合板８７及び右係合板８８には、係合突起８９，８９が形成されている。また、可動板８６の両側には、係止溝９０，９０が形成されている。左係合板８７は、左側板７６の内側に、支軸９１によって回動自在に取り付けられている。右係合板８８は、図１に示すように、右側板７３の内側に、支軸９１によって回動自在に取り付けられている。可動板８６は、底板７１の裏面側に位置しており、底板７１の両側に形成された開口から突出する左係合板８７と右係合板８８の下端に一体に取り付けられている。係合部材８５は、可動板８６が弾性部材９２，９２の一端によって押圧され、係合突起８９，８９の係合方向（時計回転方向）に付勢されている。
【００４４】
ロック部材９５，９５は、カートリッジ本体７０Ａの底板７１の裏面両側に枢軸９６，９６によって揺動自在に設けられている。ロック部材９５は、一方に当接部９７が形成され、他方に係止部９８が形成されている。当接部９７は、カートリッジ本体７０Ａの底板７１に形成された透孔７４から収納室８２内に出没してシート状連結ステープルＳに当接するようになっている。透孔７４，７４は、ステープル用リフィル１が収納室８２内に収納された時の排出口４６近傍であって、底板７１の両側に形成されている。係止部９８，９８は、前記可動板８６の係止溝９０，９０に係止可能な係止突起９９，９９を備えている。
【００４５】
ロック部材９５は、係止部９８側の方が重たくなっており、枢軸９６を中心にして時計回転方向に付勢されている。従って、カートリッジ７０は、収納室８２内にステープル用リフィル１が収納されていない初期状態にあっては、ロック部材９５の当接部９７が収納室８２内に突出し、係止部９８の係止突起９９が可動板８６の係止溝９０から離間している。なお、底板７１の裏面には、前記開口７８からシート状連結ステープルＳを間欠的に送る送り爪を備えた送り出し手段１００が設けられている。底板７１の裏面には、カバー
８３が係止爪、ネジ等の固定手段によって着脱自在に取り付けられている。前記ロック部材９５の枢軸９６は、カバー８３に枢着され、弾性部材９２の他端がカバー８３によって押さえられている。
【００４６】
カートリッジ本体７０Ａの後板７７は、前記したように、略コ字状に形成され、後面板７７ａと、後面板７７ａの左端に設けられた左折曲板７７ｂと、後面板７７ａの右端に設けられた右折曲板７７ｃとからなる。左折曲板７７ｂは左側板７６の外面に接合され、右折曲板７７ｃは右側板７３の外面に接合されている。左折曲板７７ｂ及び右折曲板７７ｃの上部には、取付軸１１２が形成され、取付軸１１２の下方前部にガイド軸１１３が設けられている。
【００４７】
カートリッジ７０には、図９に示すように、操作レバー１０５が回動自在に取り付けられている。操作レバー１０５は、握り部１０６と、握り部１０６の両端に設けられたアーム１０７，１０７とからなり、アーム１０７，１０７の下部が前記取付軸１１２，１１２に回動自在に取り付けられている。アーム１０７，１０７の下端には、屈曲した係合片１０９，１０９が一体に形成されている。アーム１０７，１０７の中間部１１１，１１１は、内側に凹んでおり、当該中間部１１１，１１１が左側板７６及び右側板７３の後部に形成された略Ｌ字状の掛止部１１５，１１５に掛止されるようになっている。操作レバー１０５は、アーム１０７，１０７が掛止部１１５，１１５に掛止されると、時計方向には回動しない。
【００４８】
カートリッジ７０は、上記構成を有し、収納室８２内にステープル用リフィル１を収納すると、ステープル用リフィル１の前部２ａが係止部８１に係止される。また、ステープル用リフィル１の係合軸１６，１６が、係合部材８５の左係合板８７と右係合板８８に形成された係合突起８９，８９を弾性部材９２，９２の弾性に抗して押し込み、係合突起８９，８９を乗り越えたところで、弾性部材９２，９２によって元の位置に復帰する係合突起８９，８９によって係合される。このようにして、ステープル用リフィル１は、カートリッジ本体７０Ａの収納室８２内で固定される。
【００４９】
カートリッジ７０を、図９に示すように、ステープラ本体６２のカートリッジ収容部６３に押し込むと、カートリッジ７０のガイド軸１１３，１１３が、アーム部材６６，６６を弾性部材の弾性に抗して反時計方向に回転させながら、係合凹部６５，６５内に係合し、係合凹部６５，６５と元の位置に復帰したアーム部材６６，６６の先部６７によって固定される。このようにして、カートリッジ７０は、ステープラ本体６２に取り付けられる。前記操作レバー１０５は、係合片１０９，１０９がアーム部材６６，６６に係合して、図６に示すように、反時計回転方向に回転し、略直立状態で保持される。
【００５０】
ステープラ本体６２を駆動すると、送り出し手段１００によって、リフィル本体２内のシート状連結ステープルＳが排出口４６から引き出され、シート状連結ステープルＳの先部Ｓ１がロック部材９５，９５の当接部９７，９７に当接する。ロック部材９５，９５は、反時計回転方向に回動し、係止部９８，９８の係止突起９９，９９が可動板８６の係止溝９０，９０を係止し、係合部材８５をロックする。左係合板８７と右係合板８８が回動不能となるので、シート状連結ステープルＳがロック部材９５，９５の当接部９７，９７に当接している間、即ちリフィル本体２内にシート状連結ステープルＳが全部排出されず残っている間は、カートリッジ７０からステープル用リフィル１を取り外すことができない。
【００５１】
ステープル用リフィル１は、リフィル本体２内のシート状連結ステープルＳが全部排出され、残っていない場合は、シート状連結ステープルＳにロック部材９５，９５の当接部９７，９７が当接しなくなるので、ロック部材９５，９５の当接部９７，９７が収納室８
２内に透孔７４，７４を介して突出する。ロック部材９５，９５は、時計回転方向に回動し、係止部９８，９８の係止突起９９，９９が可動板８６の係止溝９０，９０から離間し、係合部材８５のロックが解除されている。左係合板８７と右係合板８８が弾性部材９２の弾性に抗して回動可能となるので、カートリッジ７０からステープル用リフィル１を取り外すことができる。取り外す場合は、ステープル用リフィル１の把持アーム１８を把持して上方に引き上げるだけで良い。
【００５２】
ステープル用リフィル１は、上述したように、リフィル本体２内のシート状連結ステープルＳが全部排出されず残っている場合には、カートリッジ７０から取り外すことができないが、かかる場合は、カートリッジ７０をステープラ本体６２から引き出すことができる。カートリッジ７０に設けられた操作レバー１０５を時計回転方向に回動すると、係合片１０９，１０９がアーム部材６６，６６を弾性部材の弾性に抗して反時計方向に押し下げて係合凹部６５，６５を開放し、操作レバー１０５を引っ張ることによって、ガイド軸１１３，１１３が係合凹部６５，６５から外れ、ステープラ本体６２からカートリッジ７０を引き出すことができる。
【００５３】
このようにカートリッジ７０は、収納室８２にステープル用リフィル１が収納されると、ステープル用リフィル１の係合軸１６を係合部材８５が係合する。ステープル用リフィル１の排出口４６から排出されるシート状連結ステープルＳにロック部材９５の当接部９７が当接すると、ロック部材９５が係合部材８５をロックして、係合状態を保持し、ステープル用リフィル１の離脱を阻止する。ステープル用リフィル１のシート状連結ステープルＳが全て排出されて残っていないと、シート状連結ステープルＳに当接部９７が当接しなくなるので、ロック部材９５の係合部材８５に対するロックが解除され、ステープル用リフィル１の離脱が可能にする。カートリッジ７０は、ステープル用リフィル１のシート状連結ステープルＳが全て排出されなければ、ステープル用リフィル１を取り外すことができないので、シート状連結ステープルＳの折れを防止することができ、その結果、折れによる目詰まり等の障害をなくすことができる。
【図面の簡単な説明】
【００５４】
【図１】本願発明に係るカートリッジの一つの実施の形態を示す全体斜視図である。
【図２】図１のカートリッジの６面図である。
【図３】図１のカートリッジにステープル用リフィルを取り付けた状態を示す全体斜視図である。
【図４】図３のカートリッジの一部を省略した全体斜視図である。
【図５】図４のカートリッジの６面図である。
【図６】図３のカートリッジが装着されたステープラ本体を一方から視た斜視図である。
【図７】図６のステープラ本体を他方から視た斜視図である。
【図８】図６のステープラ本体からステープル用リフィルを取り外した状態を示す斜視図である。
【図９】図６のステープラ本体からカートリッジを引き出した状態を示す斜視図である。
【図１０】ステープル用リフィルの一つの実施の形態を示す全体斜視図である。
【図１１】図１０の分解斜視図である。
【図１２】図１０の斜視断面図である。
【図１３】図１０の側面断面図である。
【図１４】図１０のステープル用リフィルの６面図である。
【図１５】図１０の要部断面図である。
【図１６】ステープル用リフィルの動作を説明する説明図である。
【図１７】ステープル用リフィルの他の実施の形態を示す全体斜視図である。
【図１８】図１７の分解斜視図である。
【符号の説明】
【００５５】
Ｓ  シート状連結ステープル
Ｓ１  先部
Ｓ２  上面
Ｓ３  下面
Ｓ４  ロール状巻き取り部
Ｓ５  引き出される部分
１  ステープル用リフィル
２  リフィル本体
２ａ  前部
３  上ケース
５  下ケース
６  上壁
７  左壁
７ａ  円状壁
７ｂ  下壁
８  開口
９  右壁
９ａ  円状壁
９ｂ  下壁
１１  上半円筒壁
１２  垂直壁
１３  湾曲壁
１３ａ  下面（上ガイド面）
１４  係止孔
１５  水平壁
１５ａ  下面
１６  係合軸
１８  把持アーム
１９  リブ
２０  ガイド突条
２１  下壁
２２  円弧状壁
２３  直線壁
２３ａ  上面
２５  ガイド突起
２６  一方の面（下ガイド面）
２７  他方の面
２９  頂部
３０  切り欠き部
３１  逆行防止部材
３１ａ  先端
３２  切り欠き凹部
３５  ガイド帯（突条）
３６  係止爪
４０  収納室（収納部）
４２  第２の案内路
４３  第１の案内路
４５  導出路
４６  排出口
４７  上ガイド面
４８  下ガイド面
５２  下壁
５３  係合突起
５５  逆行防止部材
５６  差込板
５７  下ケース
５８  ガイド突起
５９  一方の面
６０  長孔
６１  ステープラ
６２  ステープラ本体
６３  カートリッジ収容部
６５  係合凹部
６６  アーム部材
６７  先部
７０  カートリッジ
７０Ａ  カートリッジ本体
７１  底板
７２  右ガイド板
７３  右側板
７４  透孔
７５  左ガイド板
７６  左側板
７７  後板
７７ａ  後面板
７７ｂ  左折曲板
７７ｃ  右折曲板
７８  開口
７９  前板
８０  ステープル打ち出しガイド
８１  係止部
８２  収納室
８３  カバー
８５  係合部材
８６  可動板
８７  左係合板
８８  右係合板
８９  係合突起
９０  係止溝
９１  支軸
９２  弾性部材
９５  ロック部材
９６  枢軸
９７  当接部
９８  係止部
９９  係止突起
１００  送り出し手段
１０５  操作レバー
１０６  握り部
１０７  アーム
１０９  係合片
１１１  中間部
１１２  取付軸
１１３  ガイド軸
１１５  掛止部
【図１】
2005074566.tif 000003
【図２】
2005074566.tif 000004
【図３】
2005074566.tif 000005
【図４】
2005074566.tif 000006
【図５】
2005074566.tif 000007
【図６】
2005074566.tif 000008
【図７】
2005074566.tif 000009
【図８】
2005074566.tif 000010
【図９】
2005074566.tif 000011
【図１０】
2005074566.tif 000012
【図１１】
2005074566.tif 000013
【図１２】
2005074566.tif 000014
【図１３】
2005074566.tif 000015
【図１４】
2005074566.tif 000016
【図１５】
2005074566.tif 000017
【図１６】
2005074566.tif 000018
【図１７】
2005074566.tif 000019
【図１８】
2005074566.tif 000020